(57)【要約】 【課題】  本発明は、屋根面部に取付ける固定板の基端部に、１本の線材を左右方向にコの字形に曲折して対向せしめることにより、積雪に対して線材がそれぞれ左右両方向から突き刺さるようにして積雪の溶解を促進するものである。 【解決手段】  本発明は、屋根面に設置する固定板１の基端凹部６の左右両側部方向にそれぞれコの字形に曲折した線材７の中央部を固着し、前記固定板は、先付け用にあっては、屋根板一部間に挿入する固定部を設け、後付け用にあっては屋根板一部に挟合する上下挟合部を設けて成るものである。【選択図】    図１
2020193513.tif 000002
【特許請求の範囲】
【請求項１】
屋根面に設置する任意形状に成る固定板の基端凹部の左右両側部方向にそれぞれコの字形に曲折した線材の中央部を固着し、前記線材の左右両側部は任意角度に形成して成ることを特徴とする屋根における雪止め具。
【請求項２】
先付け用の雪止め具にあっては、固定板は屋根板の一部間に挿入して固定する部分を設けて成る請求項１に記載した屋根における雪止め具。
【請求項３】
後付け用雪止め具にあっては、固定部材として屋根板の一部に接合する下部品と上部品とを設け、この上下両部品間を挟合連結する螺子を設けて成る請求項１に記載した屋根における雪止め具。
【発明の詳細な説明】
【技術分野】
【０００１】
本発明は、屋根における雪止め具に関するものである。
【背景技術】
【０００２】
降雪地方においては、建物の屋根面に積もった雪が滑落しないように雪止め具を設置する家屋が多いところ、雪止め機能を果たす部材は平板状の羽根板を立設状態に多数設置するものが普及している。
【０００３】
しかし、羽根板設置の場合は、大屋根面にあっても目立つ状態に変わりないのみならず、羽根板の設置箇所に積雪滑降が停止することによって、羽根板のある停滞箇所においては積雪が凍結してしまい、溶解が遅延することになる欠点があったのである。
【０００４】
そこで、これを改良した技術として、次に示すものが公知になっているところ、これは１本の線材を略長方形に曲折してその中心部分を開口する額縁状に構成するものであるから、雪止め部前後の雪が結合して雪止め効果を期待できる等と記述してはいるが、そのような構成による額縁状の開口部前後における積雪が凍結してしまうことを防止することは困難である。
【先行技術文献】
【特許文献】
【０００５】
【特許文献１】特開２０１７−１２０００７号公開特許公報
【発明の概要】
【発明が解決しようとする課題】
【０００６】
そこで、本発明は雪止め部材を線材によって構成する物品ではあるが、屋根面部への取付ける固定板の基端部に、１本の線材を左右方向にコの字形に曲折して対向せしめることにより、積雪に対して線材がそれぞれ左右両方向から突き刺さるようにして積雪の溶解を促進することを目的とするものである。
【課題を解決するための手段】
【０００７】
本発明は、屋根面に設置する任意形状に成る固定板の基端凹部の左右両側部方向に、それぞれコの字形に曲折した線材の中央部分を固着するが、線材の左右両側部における開口角度は任意である。
【０００８】
また、前記固定板は先付け用にあっては、屋根板の一部間に挿入して固定する部分を設けている。
【０００９】
また、前記固定板は後付け用にあっては、固定部材として屋根板の一部に接合する下部品と上部品とを設け、この上下両部品間を挟合連結する螺子を設けている。
【発明の効果】
【００１０】
本発明に係る雪止め具にあっては、１本の線材を左右両側部においてそれぞれコの字形に曲折した状態にしているから、屋根面上の積雪に対して線材がそれぞれ左右両方向から突き刺さることになり、左右前後の積雪の動きを抑制することができるから、雪止め効果を期待することができるとともに溶解効果を期待することができるのである。
【図面の簡単な説明】
【００１１】
【図１】先付け用雪止め具の斜視図
【図２】後付け用雪止め具の斜視図
【図３】先付け用雪止め具の平面図
【図４】先付け用雪止め具の正面図
【図５】先付け用雪止め具の右側面図
【図６】先付け用雪止め具の組立て前の斜視図
【図７】先付け用雪止め具の取付け状態を示す屋根面における斜視図
【図８】先付け用雪止め具の屋根面における取付け状態を示す側断面図
【図９】後付け用雪止め具の組立て前の斜視図
【図１０】本雪止め具の屋根面における取付け状態図
【発明を実施するための形態】
【００１２】
本発明にあっては、２つの実施例を想定しているところ、先付け用の雪止め具と後付け用の雪止め具とにあっては、それぞれ以下説明するように、その具体的形態は異なるのである。
【実施例１】
【００１３】
まず、図１に示す実施例１について説明する。
【００１４】
これは、建物の建設中における屋根葺き時に、先付け用として設置する雪止め具の構造である。
【００１５】
１は固定板で、この固定板は屋根板ａの施工時に屋根板の屈折部に挿入して係合する弯曲折部２を中間位置に設け、この中間弯曲折部からさらに延長して固定部３を設け、この固定部には適当数の通口４・・を設け、この通口には屋根板取付材ｂへのビス５・・・を止着する。
【００１６】
６は前記固定板１の固定部３とは反対側の基端部に設けた凹溝部で、この凹溝部には左右両側部をそれぞれコ字状に曲折した雪止め材７，７の中間部７’を嵌合し、この凹溝部内において雪止め材７，７の中間部を固着８，８する。
【００１７】
前記雪止め材７の左右両側部に曲折形成するコ字状の曲折部９，９の角度は任意であるが、この曲折部に対しては積雪が突き刺さる状態になる。
【実施例２】
【００１８】
次に、図２に示す実施例２について説明する。
【００１９】
これは、建物の建設後における屋根面に、後付け用として設置する雪止め具の構造である。
【００２０】
１１は固定部材で、この固定部材は屋根板の一部に固定する下部品１２と上部品１３とから成り、この上下両部品間を連結する螺子１４を設けている。
【００２１】
１５は前記固定部材１１の下部品１２と上部品１３との間の開口部で、この開口部は屋根材の一部に挟合して固定するようになる。
【００２２】
１６は前記固定部材１１の下部品１２と上部品１３との開口部１５とは反対側の基端部に設けた凹溝部で、この凹溝部には左右両側部をそれぞれコ字状に曲折した雪止め材１７の中間部１７’が嵌合し、この凹溝部内において雪止め材１７の中間部１７’を固着１８するようにする。
【００２３】
前記雪止め材１７の左右両側部に曲折形成するコ字状曲折部１９，１９の角度方向は任意であるが、この曲折部に対して積雪が突き刺さる状態になる。
【符号の説明】
【００２４】
１                          固定板
２                          弯曲折部
３                          固定部
４・・                      通孔
５・・                      ビス
６                          凹溝部
７，７                      雪止め材
７’                        中間部
８，８                      固着部
９，９                      曲折部
１１                        固定部材
１２                        下部材
１３                        上部材
１４                        螺子
１５                        開口部
１６                        凹溝部
１７                        雪止め材
１７’                      中間部
１８                        固着部
１９，１９                  曲折部
ａ                          屋根板
ｂ                          屋根板取付材
【図１】
2020193513.tif 000003
【図２】
2020193513.tif 000004
【図３】
2020193513.tif 000005
【図４】
2020193513.tif 000006
【図５】
2020193513.tif 000007
【図６】
2020193513.tif 000008
【図７】
2020193513.tif 000009
【図８】
2020193513.tif 000010
【図９】
2020193513.tif 000011
【図１０】
2020193513.tif 000012